(57)【特許請求の範囲】
【請求項１】
歯付き関節連結型スピンドル（４）または自在継手連結型スピンドル（４０）とロールのロールジャーナル（２）とを締め付け結合させる装置であって、発生するトルクの伝動を、ロールジャーナル（２）の嵌合面（６）とスピンドルスリーブ（２３）の嵌合面（５）との形状拘束的結合により行うようにし、両嵌合面（５，６）を遊びなしに形状拘束的に結合させるため、両嵌合面（５，６）の間に形成されるくさび状の受容間隙（７）に、弾性付勢されるくさび板（８）が挿入されている前記装置において、
ａ）回転軸線（ｘ−ｘ）に関してくさび板（８）とは逆の位置にしてスピンドルスリーブ（２３）の穴（２８）とロールジャーナル（２）との間に、少なくとも一つの摩耗板（３）を挿入可能であること、
ｂ）受容間隙（７）が軸線方向にくさび状に延びる嵌合面（５，６）を有し、嵌合面（５，６）がロールジャーナル（２）およびスピンドルスリーブ（２３）のくさび溝の溝壁によって形成されていること、
ｃ）くさび板（８）が、ロールジャーナル（２）の自由端に隣接している端部において圧縮ばね（９）により軸線方向に付勢可能に支持され、且つ他端部においてロールジャーナル（２）の肩部（１０）で支持されていること、
を特徴とする装置。
【請求項２】
スピンドルスリーブ（２３）が、歯付き関節連結型スピンドル（４）の歯付き関節連結部（２４）に対して相対的に軸線方向へ移動可能であり、且つ中心に加圧板（２５）を有し、この加圧板（２５）によりスピンドルスリーブ（２３）は、歯付き関節連結型スピンドル（４）の中心部に配置されるピンヘッド（３１）により、軸線方向に弾性付勢されながらくさび板（８）のほうへ移動可能であることを特徴とする、請求項１に記載の装置。
【請求項３】
少なくとも一つのくさび板（８）に、添え板（２７）により覆われるスピンドルスリーブ（２３）の長穴を貫通する位置固定ねじ（２９）が付設されていることを特徴とする、請求項１または２に記載の装置。
【請求項４】
スピンドルスリーブ（２３）が自在継手型スピンドル（４０）と結合されている、請求項１に記載の装置において、スピンドルスリーブ（２３）とロールジャーナル（２）に、軸線方向にくさび状に延びくさび板（８）を挿入した少なくとも二つの嵌合面（５，６）が周方向に等角度間隔で設けられていることを特徴とする装置。
【発明の詳細な説明】
【０００１】
【発明が属する技術分野】
本発明は、歯付き関節連結型スピンドルまたは自在継手連結型スピンドルとロールのロールジャーナルとを締め付け結合させる装置であって、発生するトルクの伝動を、ロールジャーナルの嵌合面とスピンドルスリーブの嵌合面との形状拘束的結合により行うようにし、両嵌合面を遊びなしに形状拘束的に結合させるため、両嵌合面の間に形成されるくさび状の受容間隙に、弾性付勢されるくさび板が挿入されている前記装置に関するものである。
【０００２】
【従来の技術】
この種の結合装置において、従来の通常の構成は、互いに噛み合い可能な連結嵌合面と付加的に挿入可能で嵌合遊びを持った摩耗板とを備えた形状拘束的な部分の一部として、スピンドルヘッドとこれに付設のロールジャーナルとを形成する構成になっている。例えば、トルクの伝達はフラットピンを介して行われる。その際に存在する嵌合遊びは、嵌合部分を取り付ける際の作業条件に対し有利である。
【０００３】
他方この種の構成の欠点は、圧延作動時に不均一なトルクが発生することにより比較的急速に摩耗板が摩耗して、駆動装置の負荷が跳躍的なピークを示し、圧延材の品質をも損なうことである。
【０００４】
【発明が解決しようとする課題】
本発明の課題は、従来の欠点を解消し、歯付き関節連結型または自在継手連結型スピンドルのスピンドルヘッドとロールのロールジャーナルとを取り外し可能に結合させるための構成を改善し、連結部分を連結させる際に連結部分の間にさしあたり十分な遊び空間を形成させて支障のない取付けを可能にするとともに、他方取付け終了後の作動状態においては完全に遊びのない形状拘束的結合が達成され維持されるような装置を提供することである。
【０００５】
【課題を解決するための手段】
本発明は、上記課題を解決するため、回転軸線に関してくさび板とは逆の位置にしてスピンドルスリーブの穴とロールジャーナルとの間に、少なくとも一つの摩耗板を挿入可能であること、受容間隙が軸線方向にくさび状に延びる嵌合面を有し、嵌合面がロールジャーナルおよびスピンドルスリーブのくさび溝の溝壁によって形成されていること、くさび板が、ロールジャーナルの自由端に隣接している端部において圧縮ばねにより軸線方向に付勢可能に支持され、且つ他端部においてロールジャーナルの肩部で支持されていることを特徴とするものである。
【０００６】
本発明による構成では、互いに協働する連結面の締め付けがロール交換時に自動的に行われるので有利である。弾性付勢されるくさび板はロールを挿入すると軸線方向へ移動するばかりでなく、そのくさび形状により半径方向へも移動して、ロールジャーナルをその接合面に対して締め付ける。この場合、本発明においてもトルクの伝動はフラットピンを介して形状拘束的に行われるが、しかし遊びなしに行われる。
【０００７】
本発明によれば、くさび板は、ロールジャーナルの自由端に隣接している端部において、圧縮ばねにより軸線方向に付勢可能であり、且つロールジャーナルの肩部で支持可能である。
【０００８】
ばねの配置と作用により、ロールジャーナルをスピンドルヘッドとの形状拘束的結合部から取り外す際にくさびまたはくさび面が軸線方向に移動することにより形状拘束的結合部が解除されるので極めて有利である。
【０００９】
逆に、ロールジャーナルをスピンドルヘッドに挿入して結合させる際には、締め付けと遊びのない形状拘束的結合が行われるまで肩部がくさび板をばねに抗して押圧する。
【００１０】
本発明による結合装置の他の構成は従属項に対応している。
【００１１】
【発明の実施形態】
次に、本発明の二つの実施形態を添付の図面を用いて説明する。
図１に図示した、歯付き関節連結型スピンドル４のスピンドルヘッド１とロールのロールジャーナル２とを締め付け結合させる締め付け結合装置では、発生するトルクの伝動はロールジャーナル２の嵌合面６とスピンドルスリーブ２３の嵌合面５との形状拘束的結合により行われる。嵌合面５と６を遊びなしに形状拘束的に結合させるため、これら嵌合面５と６の間に形成された受容間隙７に、弾性付勢されるくさび板８が挿入されている。くさび板８は、ロールジャーナル２の自由端に隣接している端部に、圧縮ばね９により軸線方向に付勢可能にロールジャーナル２の肩部１０で支持されている。この場合スピンドルスリーブ２３は、くさび板８を受容するために外側へ円錐状に開口した前記嵌合面５を備えた少なくとも一つの内側の凹部を有している。締め付け結合装置は次のように形成されているのが有利であり、即ち軸線方向にくさび状に延びるようにロールジャーナル２のくさび溝とスピンドルスリーブ２３のくさび溝（前記内側の凹部）との間に形成された前記受容間隙７内へくさび板８を挿入できるように形成されているのが有利である。
【００１２】
本発明による構成では、スピンドルスリーブ２３は歯付き関節連結型スピンドル４の歯付き関節部２４に対して相対的に軸線方向に移動可能であり、中心に加圧板２５を有している。この加圧板２５によりスピンドルスリーブ２３は、歯付き関節連結型スピンドル４の中心部に配置されているピンヘッド３１であってばね３２の圧力のもとにあるガイドスリーブ３３に設けたガイドピン３０を備えているピンヘッド３１によって、軸線方向にばね荷重されながらくさび板８のほうへ移動可能である。これにより、結合の際に、即ちロールジャーナル２がスピンドルスリーブ２３内へ挿入されたときに、締め付けと遊びのない形状拘束的結合が達成されるまで肩部１０はくさび板８をばね９,３２に抗して押圧する。
【００１３】
さらに図１が示すように、回転軸線ｘ−ｘに関してくさび板８とは反対側の位置には、スピンドルスリーブ２３の穴２８とロールジャーナル２との間に少なくとも一つの摩耗板３が挿入されている。このため、くさび板８を挿入することにより、互いに協働可能な結合要素間の遊びのない形状拘束的結合が得られ、したがって摩耗板３との遊びのない形状拘束的結合も得られるので、従来のように摩耗板３が急速に摩耗することがない。
【００１４】
組み立て完成後には、くさび板８により締め付けを行った後、この締め付け板８と摩耗板３とを位置固定ねじ２９により付加的に位置固定させることができる。位置固定ねじ２９は、添え板２７により覆われているスピンドルスリーブ２３の長穴を貫通している。このような構成により、組み立ての際の取付けも容易になる。
【００１５】
歯付き関節連結型スピンドル４のスピンドルヘッド１をスピンドル軸２６に配置する構成を示した断面図からわかるように、本発明による締め付け結合装置の構成はコンパクトであり、目的に適っており、取付けが容易である。
【００１６】
図２は、図１の構成に類似した自在継手連結型スピンドル４０を示している。この自在継手連結型スピンドル４０では、自在継手２２にスピンドルスリーブ２３がねじ２１を用いて固定されている。図１の歯付き関節連結型スピンドル４の構成による機能に対応して、この自在継手連結型スピンドル４０では、ロール交換の際に締め付けが自動的に行われる。即ちロールを走入させると、ばね９により付勢されているくさび板８が軸線方向に移動するとともに、そのくさび形状により半径方向へも移動し、その結果、互いに協働する連結部分が遊びなしに形状拘束的に結合するまでロールジャーナル２を自動的に締め付ける。この場合くさび板８は、図１の構成の場合と同様にロールジャーナル２の肩部１０で支持される。本実施形態の場合もくさび板８は、スピンドルヘッド１に設けた嵌合面５と６の間の受容間隙７内で自動的に締め付けられる。この場合くさび板８を位置固定ねじ２９により位置固定させることができる。図中２７は位置固定ねじ２９のための添え板であり、２８はスピンドルスリーブ２３の穴である。さらに図１の部材と同一の部材には同一の符号を付した。本実施形態もコンパクトで整然としており、冒頭で述べた課題を最適に解決するものであり、特にロールの自動交換を可能にする。
【図面の簡単な説明】
【図１】歯付き関節連結型スピンドルのスピンドルヘッドとロールジャーナルとを締め付け結合させる装置の断面図である。
【図２】自在継手連結型スピンドルのスピンドルヘッドとロールジャーナルとを締め付け結合させる装置の断面図である。
【符号の説明】
１  スピンドルヘッド          ２ロールジャーナル
３  摩耗板          ４  歯付き関節連結型スピンドル
５，６  嵌合面          ７  受容間隙
８  くさび板          ９  圧縮ばね          １０  肩部
２３  スピンドルスリーブ          ２４  歯付き関節部
２５  加圧板          ２７  添え板          ２８  穴
【図１】
0004070293.tif 000002
【図２】
0004070293.tif 000003